(57)【要約】【課題】自己容量を検出する簡易な構成で、マルチタッチに対応可能なタッチセンサを提供する。【解決手段】複数電極が配置された第１電極であるＸ電極１０２と、Ｘ電極１０２と交差する方向に複数電極が配置された第２電極であるＹ電極１０４と、Ｘ電極１０２及びＹ電極１０４の駆動により自己容量を検出する静電容量検出部（Ｘ静電容量検出部１５２、Ｙ静電容量検出部１７２）と、Ｘ電極１０２とＸ静電容量検出部１５２との接続状態を任意に切り替える第１切替部であるＸスイッチング部１５４と、Ｙ電極１０４とＹ静電容量検出部１７２との接続状態を任意に切り替える第２切替部であるＹスイッチング部１７４と、静電容量検出部（Ｘ静電容量検出部１５２、Ｙ静電容量検出部１７２）、Ｘスイッチング部１５４、及びＹスイッチング部１７４を制御し、静電容量検出部（Ｘ静電容量検出部１５２、Ｙ静電容量検出部１７２）により検出された自己容量によりタッチ位置を検出する制御部２００と、を有して自己容量式タッチセンサを構成する。【選択図】図１
2018045440.tif 000002
【特許請求の範囲】
【請求項１】
複数電極が配置された第１電極と、
前記第１電極と交差する方向に複数電極が配置された第２電極と、
前記第１電極及び前記第２電極の駆動により自己容量を検出する静電容量検出部と、
前記第１電極と前記静電容量検出部との接続状態を任意に切り替える第１切替部と、
前記第２電極と前記静電容量検出部との接続状態を任意に切り替える第２切替部と、
前記静電容量検出部、前記第１切替部、及び第２切替部を制御し、前記静電容量検出部により検出された自己容量によりタッチ位置を検出する制御部と、
を有することを特徴とする自己容量式タッチセンサ。
【請求項２】
前記制御部は、前記第１切替部を制御して前記第１電極と前記静電容量検出部との接続状態を順次切替え、前記第２切替部を制御して前記第２電極と前記静電容量検出部との接続状態を順次切替えて、前記第１電極及び前記第２電極の自己容量を検出することによりタッチ位置を検出することを特徴とする請求項１に記載の自己容量式タッチセンサ。
【請求項３】
前記制御部は、検出されたタッチ位置が複数あるマルチタッチの場合に、前記マルチタッチの位置に対応する第１電極及び第２電極を同時に駆動して、前記駆動された第１電極及び第２電極が交差するノードの自己容量を検出することにより、真のタッチ位置を検出することを特徴とする請求項２に記載の自己容量式タッチセンサ。
【請求項４】
前記第１電極及び前記第２電極は、前記制御部により前記駆動がされないときはグランドに接続されることを特徴とする請求項１から３のいずれか１項に記載の自己容量式タッチセンサ。
【発明の詳細な説明】
【技術分野】
【０００１】
本発明は、自己容量式タッチセンサに関する。
【背景技術】
【０００２】
従来の技術として、投影型静電容量式タッチセンサに関するものとして、自己容量式の静電検出回路と相互容量式の静電検出回路を備えたタッチセンサが知られている。このタッチセンサは、第１軸に沿って配置された夫々の第１軸電極、第２軸に沿って配置された夫々の第２軸電極を制御装置により走査し、自己容量が変化した第１軸電極と第２軸電極を取得し、自己容量が変化した前記第１軸電極と前記第２軸電極間の夫々の交点の相互容量を検出し、相互容量が変化したか否かを判定し、相互容量が変化した領域を接触領域とするものである（例えば、特許文献１参照）。
【０００３】
このタッチセンサは、（ｘ軸として定義される）第１軸に沿って平行に配置されたＭ（Ｍ≧１）の第１軸電極、（ｙ軸として定義される）第２軸に沿って平行に配置されたＮ（Ｎ≧１）の第２軸電極を含む。第１軸と第２軸は互いに直行する。グランドに対して測定されるＭ＋Ｎの自己容量が存在する。また、第１軸電極と第２軸電極との間の交点に形成されるＭ×Ｎの相互容量が存在する。従来から問題とされるゴースト領域は、第１軸電極と第２軸電極の自己容量の変化を決定することによってのみでは見分けられない。したがって、接触領域を決定するために領域の交点の相互容量がさらに検出される。そして、タッチポイントは、接触領域の重心を算出することによって容易に決定される。このタッチセンサによれば、走査期間において接触領域を得るため、従来のＭ×Ｎ回と比較して、Ｍ＋Ｎ＋（ｐ１×ｐ２）回の走査が必要でよいとされている。
【先行技術文献】
【特許文献】
【０００４】
【特許文献１】特開２０１３−５１５３０２号公報
【発明の概要】
【発明が解決しようとする課題】
【０００５】
しかし、上記示した従来のタッチセンサは、自己容量式の静電検出回路と相互容量式の静電検出回路の両方を備え、自己容量式の静電容量検出と相互容量式の静電容量検出とを併用する。したがって、自己容量式と相互容量式の両方の静電検出回路を備える必要があり、回路が複雑になるという問題があった。
【０００６】
従って、本発明の目的は、自己容量を検出する簡易な構成で、マルチタッチに対応可能なタッチセンサを提供することにある。
【課題を解決するための手段】
【０００７】
［１］本発明は、上記目的を達成するために、複数電極が配置された第１電極と、前記第１電極と交差する方向に複数電極が配置された第２電極と、前記第１電極及び前記第２電極の駆動により自己容量を検出する静電容量検出部と、前記第１電極と前記静電容量検出部との接続状態を任意に切り替える第１切替部と、前記第２電極と前記静電容量検出部との接続状態を任意に切り替える第２切替部と、前記静電容量検出部、前記第１切替部、及び第２切替部を制御し、前記静電容量検出部により検出された自己容量によりタッチ位置を検出する制御部と、を有することを特徴とする自己容量式タッチセンサを提供する。
【０００８】
［２］前記制御部は、前記第１切替部を制御して前記第１電極と前記静電容量検出部との接続状態を順次切替え、前記第２切替部を制御して前記第２電極と前記静電容量検出部との接続状態を順次切替えて、前記第１電極及び前記第２電極の自己容量を検出することによりタッチ位置を検出することを特徴とする上記［１］に記載の自己容量式タッチセンサであってもよい。
【０００９】
［３］また、前記制御部は、検出されたタッチ位置が複数あるマルチタッチの場合に、前記マルチタッチの位置に対応する第１電極及び第２電極を同時に駆動して、前記駆動された第１電極及び第２電極が交差するノードの自己容量を検出することにより、真のタッチ位置を検出することを特徴とする上記［２］に記載の自己容量式タッチセンサであってもよい。
【００１０】
［４］また、前記第１電極及び前記第２電極は、前記制御部により前記駆動がされないときはグランドに接続されることを特徴とする上記［１］〜［３］のいずれか１に記載の自己容量式タッチセンサであってもよい。
【発明の効果】
【００１１】
本発明によれば、自己容量を検出する簡易な構成で、マルチタッチに対応可能なタッチセンサを提供することができる。
【図面の簡単な説明】
【００１２】
【図１】図１は、本発明の実施の形態に係る自己容量式タッチセンサの概略構成と信号伝達を示す構成ブロック図である。
【図２】図２（ａ）は、Ｘスイッチング部の構成例を示す詳細図であり、図２（ｂ）は、Ｙスイッチング部の構成例を示す詳細図である。
【図３】図３は、タッチセンサを手指によりマルチタッチしている状態を示し、Ｘ、Ｙ座標における静電容量の分布を示す図である。
【図４】図４は、マルチタッチ状態におけるＸ電極、Ｙ電極とＸスイッチング部、Ｙスイッチング部の接続状態を具体的に示す図である。
【図５】図５は、同時駆動時の各ノードの静電容量値を示す表である。
【図６】図６は、本発明の実施の形態に係る自己容量式タッチセンサの動作を示すフローチャートである。
【発明を実施するための形態】
【００１３】
（本発明の実施の形態）
図１は、本発明の実施の形態に係る自己容量式タッチセンサの概略構成と信号伝達を示す構成ブロック図である。
【００１４】
本発明の実施の形態に係る自己容量式タッチセンサ１は、複数電極が配置された第１電極であるＸ電極１０２（Ｘ１、Ｘ２、・・・、Ｘｍ）と、Ｘ電極１０２と交差する方向に複数電極が配置された第２電極であるＹ電極１０４（Ｙ１、Ｙ２、・・・、Ｙｎ）と、Ｘ電極１０２及びＹ電極１０４の駆動により自己容量を検出する静電容量検出部（Ｘ静電容量検出部１５２、Ｙ静電容量検出部１７２）と、Ｘ電極１０２とＸ静電容量検出部１５２との接続状態を任意に切り替える第１切替部であるＸスイッチング部１５４と、Ｙ電極１０４とＹ静電容量検出部１７２との接続状態を任意に切り替える第２切替部であるＹスイッチング部１７４と、静電容量検出部（Ｘ静電容量検出部１５２、Ｙ静電容量検出部１７２）、Ｘスイッチング部１５４、及びＹスイッチング部１７４を制御し、静電容量検出部（Ｘ静電容量検出部１５２、Ｙ静電容量検出部１７２）により検出された自己容量によりタッチ位置を検出する制御部２００と、を有して構成されている。
【００１５】
（タッチ電極部１００の構成）
タッチ電極部１００は、図１に示すように、Ｘ電極１０２（Ｘ１、Ｘ２、・・・、Ｘｍ）とＹ電極１０４（Ｙ１、Ｙ２、・・・、Ｙｎ）が直交して形成されている。操作者は、タッチ電極部１００をタッチすることにより、１点タッチ（シングルタッチ）または多点タッチ（マルチタッチ）によるタッチ入力が可能である。タッチ電極部１００は、図１に示すように、左上部を原点として、右方向にＸ軸、下方向にＹ軸とされた操作入力基準座標（Ｘ、Ｙ）が設定されている。このタッチ入力により、接続された操作対象機器（例えば、車載機器等）の操作を行うことが可能となる。
【００１６】
Ｘ電極１０２及びＹ電極１０４は、例えば、ＩＴＯ（ｔｉｎ−ｄｏｐｅｄ  ｉｎｄｉｕｍ  ｏｘｉｄｅ）、銅などを用いた電極として構成されている。このＸ電極１０２及びＹ電極１０４は、互いに絶縁されながら交差するように配置されている。本実施の形態では、Ｘ電極１０２とＹ電極１０４は直交して配置されている。
【００１７】
（Ｘ駆動検出部１５０の構成）
Ｘ電極１０２の一端側には、図１で示すように、Ｘ駆動検出部１５０が接続されている。ここで、図２（ａ）は、Ｘスイッチング部の構成例を示す詳細図である。
【００１８】
図２（ａ）に示すように、Ｘ駆動検出部１５０は、Ｘ静電容量検出部１５２とＸスイッチング部１５４とから構成されている。Ｘ静電容量検出部１５２は、図１で示す制御部２００から出力されるＸ駆動検出信号ＳＸｉにより制御されてＸ電極１０２への電荷供給を行ない、また、静電容量信号ＳＣＸｉにより自己容量の検出を行なう。なお、検出される自己容量は、静電容量信号ＳＣＸｉに対してアナログ・デジタル変換処理などを行った静電容量カウント値ＳＤＸｉとして制御部２００に出力される。また、Ｘスイッチング部１５４は、Ｘスイッチング信号ＳＷＸｉにより制御され、任意のＸ電極１０２とＸ静電容量検出部１５２との接続を切替える動作を行なう。
【００１９】
Ｘスイッチング部１５４は、例えば、トランジスタ等のスイッチング素子で構成され、１本のＸ電極１０２とＸ静電容量検出部１５２とが上記スイッチング素子を介して接続切替可能とされている。図２（ａ）に示すように、例えば、ｉ番目のＸ電極（Ｘｉ）は、上記説明した電荷供給及び静電容量（自己容量）の検出を行なう駆動時においてはＸ静電容量検出部１５２と接続される。一方、ｉ番目のＸ電極（Ｘｉ）は、非駆動時においては、グランドＧＮＤに接続される。このＸ電極１０２とＸ静電容量検出部１５２との接続切替は、任意のＸ電極において可能である。したがって、順次、Ｘ電極１０２とＸ静電容量検出部１５２との接続を切替えていくこともでき、また、任意のＸ電極１０２とＸ静電容量検出部１５２だけを接続することもできる。
【００２０】
（Ｙ駆動検出部１７０の構成）
Ｙ電極１０４の一端側には、図１で示すように、Ｙ駆動検出部１７０が接続されている。ここで、図２（ｂ）は、Ｙスイッチング部の構成例を示す詳細図である。
【００２１】
図２（ｂ）に示すように、Ｙ駆動検出部１７０は、Ｙ静電容量検出部１７２とＹスイッチング部１７４とから構成されている。Ｙ静電容量検出部１７２は、図１で示す制御部２００から出力されるＹ駆動検出信号ＳＹｉにより制御されてＹ電極１０４への電荷供給を行ない、また、静電容量信号ＳＣＹｉにより自己容量の検出を行なう。なお、検出される自己容量は、静電容量信号ＳＣＹｉに対してアナログ・デジタル変換処理などを行った静電容量カウント値ＳＤＹｉとして制御部２００に出力される。また、Ｙスイッチング部１７４は、Ｙスイッチング信号ＳＷＹｉにより制御され、任意のＹ電極１０４とＹ静電容量検出部１７２との接続を切替える動作を行なう。
【００２２】
Ｙスイッチング部１７４は、例えば、トランジスタ等のスイッチング素子で構成され、１本のＹ電極１０４とＹ静電容量検出部１７２とが上記スイッチング素子を介して接続切替可能とされている。図２（ｂ）に示すように、例えば、ｊ番目のＹ電極（Ｙｉ）は、上記説明した電荷供給及び静電容量（自己容量）の検出を行なう駆動時においてはＹ静電容量検出部１７２と接続される。一方、ｊ番目のＹ電極（Ｙｉ）は、非駆動時においては、グランドＧＮＤに接続される。このＹ電極１０４とＹ静電容量検出部１７２との接続切替は、任意のＹ電極において可能である。したがって、順次、Ｙ電極１０４とＹ静電容量検出部１７２との接続を切替えていくこともでき、また、任意のＹ電極１０４とＹ静電容量検出部１７２だけを接続することもできる。
【００２３】
（制御部２００の構成）
制御部２００は、例えば、記憶されたプログラムに従って、取得したデータに演算、加工などを行うＣＰＵ（Ｃｅｎｔｒａｌ  Ｐｒｏｃｅｓｓｉｎｇ  Ｕｎｉｔ）、半導体メモリであるＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などから構成されるマイクロコンピュータである。このＲＯＭには、例えば、制御部２００が動作するためのプログラム等が格納されている。ＲＡＭは、例えば、一時的に演算結果などを格納する記憶領域として用いられる。また制御部２００は、その内部にクロック信号を生成する手段を有し、このクロック信号に基づいて動作を行う。
【００２４】
（本実施の形態に係る自己容量式タッチセンサ１の動作）
（１点タッチ（シングルタッチ）またはゴーストレスの多点タッチ（マルチタッチ）の検出）
本実施の形態に係る自己容量式タッチセンサ１は、通常動作として、Ｘ電極１０２をＸスイッチング信号ＳＷＸｉにより順次切替えてＸ静電容量検出部１５２と接続し、自己容量方式により各Ｘ電極１０２の静電容量値を静電容量カウント値ＳＤＸｉとして取得する。なお、Ｘ静電容量検出部１５２と接続されていないＸ電極１０２と、すべてのＹ電極１０４は、グランドＧＮＤに接続される。
【００２５】
同様に、Ｙ電極１０４をＹスイッチング信号ＳＷＹｉにより順次切替えてＹ静電容量検出部１７２と接続し、自己容量方式により各Ｙ電極１０４の静電容量値を静電容量カウント値ＳＤＹｉとして取得する。なお、Ｙ静電容量検出部１７２と接続されていないＹ電極１０４と、すべてのＸ電極１０２は、グランドＧＮＤに接続される。
【００２６】
制御部２００は、Ｘ電極１０２及びＹ電極１０４のそれぞれの静電容量が、所定の基準値を超えて変化する場合にその電極にタッチ動作がされたと判断する。Ｘ電極１０２又はＹ電極１０４の少なくともどちらかの電極が、１本だけ所定の基準値を超えて変化した場合は、ゴーストを発生させることなく、１点タッチ（シングルタッチ）または多点タッチ（マルチタッチ）を決定することができる。
【００２７】
（ゴーストがある場合の多点タッチ（マルチタッチ）の検出）
図３は、タッチセンサ１００を手指３００によりマルチタッチしている状態を示し、Ｘ、Ｙ座標における静電容量の分布を示す図である。図４は、マルチタッチ状態におけるＸ電極、Ｙ電極とＸスイッチング部、Ｙスイッチング部の接続状態を具体的に示す図である。また、図５は、同時駆動時の各ノードの静電容量値を示す表である。
【００２８】
上記示した１点タッチ（シングルタッチ）またはゴーストレスの多点タッチ（マルチタッチ）の検出において、タッチ点が１点タッチ（シングルタッチ）またはゴーストレスの多点タッチ（マルチタッチ）と判断できない場合、すなわち、タッチ点に対応するノードがＸ電極、Ｙ電極それぞれ２以上の場合は、制御部２００は、ゴーストがある場合の多点タッチ（マルチタッチ）の検出を行なう。
【００２９】
図３で示すように、（Ｘｉ、Ｙｊ）（Ｘｉ＋１、Ｙｊ＋１）の２点を手指３００により多点タッチ（マルチタッチ）した場合の検出動作について説明する。
【００３０】
制御部２００は、まず、ノード１について自己容量を検出するために、図４に示すように、Ｘスイッチング部１５４によりＸ電極（Ｘｉ）とＸ静電容量検出部１５２とを接続し、他のＸ電極をグランドＧＮＤに接続する。また、Ｙスイッチング部１７４によりＹ電極（Ｙｊ）とＹ静電容量検出部１７２とを接続し、他のＹ電極をグランドＧＮＤに接続する。この状態、すなわち、Ｘ電極（Ｘｉ）とＹ電極（Ｙｊ）の組合せの状態で、Ｘ静電容量検出部１５２とＹ静電容量検出部１７２とにより、同時駆動を行なうことで、自己容量を検出する。
【００３１】
ノード２についても、同様に、図４に示すように、Ｘスイッチング部１５４によりＸ電極（Ｘｉ）とＸ静電容量検出部１５２とを接続し、他のＸ電極をグランドＧＮＤに接続する。また、Ｙスイッチング部１７４によりＹ電極（Ｙｊ＋１）とＹ静電容量検出部１７２とを接続し、他のＹ電極をグランドＧＮＤに接続する。この状態、すなわち、Ｘ電極（Ｘｉ）とＹ電極（Ｙｊ＋１）の組合せの状態で、Ｘ静電容量検出部１５２とＹ静電容量検出部１７２とにより、同時駆動を行なうことで、自己容量を検出する。
【００３２】
ノード３についても、同様に、図４に示すように、Ｘスイッチング部１５４によりＸ電極（Ｘｉ＋１）とＸ静電容量検出部１５２とを接続し、他のＸ電極をグランドＧＮＤに接続する。また、Ｙスイッチング部１７４によりＹ電極（Ｙｊ）とＹ静電容量検出部１７２とを接続し、他のＹ電極をグランドＧＮＤに接続する。この状態、すなわち、Ｘ電極（Ｘｉ＋１）とＹ電極（Ｙｊ）の組合せの状態で、Ｘ静電容量検出部１５２とＹ静電容量検出部１７２とにより、同時駆動を行なうことで、自己容量を検出する。
【００３３】
ノード４についても、同様に、図４に示すように、Ｘスイッチング部１５４によりＸ電極（Ｘｉ＋１）とＸ静電容量検出部１５２とを接続し、他のＸ電極をグランドＧＮＤに接続する。また、Ｙスイッチング部１７４によりＹ電極（Ｙｊ＋１）とＹ静電容量検出部１７２とを接続し、他のＹ電極をグランドＧＮＤに接続する。この状態、すなわち、Ｘ電極（Ｘｉ＋１）とＹ電極（Ｙｊ＋１）の組合せの状態で、Ｘ静電容量検出部１５２とＹ静電容量検出部１７２とにより、同時駆動を行なうことで、自己容量を検出する。
【００３４】
検出された自己容量に基づいて、各ノードの容量値を表にすると、例えば、図５に示すようになる。すなわち、真のタッチ位置（ノード１＝（Ｘｉ、Ｙｊ）、ノード４＝（Ｘｉ＋１、Ｙｊ＋１）において、容量値（基準値からの差）は大きく、ゴースト位置の容量値（基準値からの差）は小さく検出される。これにより、制御部２００は、複数の電極を同時駆動することにより、マルチタッチに対応することができる。
【００３５】
なお、ノードの基準値(非タッチ時の値)を定期的に取得する必要があるが、頻度を少なくして実施する。これにより、自己容量式タッチセンサ１の検出速度、動作速度を確保することができる。
【００３６】
ここで、マルチタッチの検出原理について説明する。マルチタッチを検出したときは，関連するＸ電極１つとＹ電極１つを同時駆動し、自己容量値を取得する。実際にタッチされている位置に対応するノード（ＸとＹ電極の組合わせ）を同時駆動したときは、タッチされている付近でシールドとして働く電極が少なくなるため、容量値が大きくなる。例えば、図３でＸｉとＹｊを同時駆動したとき、親指による容量増加を容易に取得できる（２１６ｆＦの増加）。一方、ＸｉとＹｊ＋１を同時駆動したときは、親指による容量増加はＹｊのシールド効果によって減少され、人差し指による容量増加はＸｉ＋１のシールド効果によって減少され、全体としての容量増加（１３８ｆＦ）はＸｉとＹｊを同時駆動したときよりも小さくなる。これを利用し、ＸｉとＹｊおよびＸｉ＋１とＹｊ＋１が同時にタッチされたと判定することができる。
【００３７】
図６は、本発明の実施の形態に係る自己容量式タッチセンサの動作を示すフローチャートである。上記示したシングルタッチ、マルチタッチの検出を一連の動作として図６のフローチャートに従って説明する。
【００３８】
制御部２００は、通常動作として、Ｘ電極１０２を順次駆動して、自己容量を検出する（Ｓｔｅｐ１）。
【００３９】
制御部２００は、同様に、Ｙ電極１０４を順次駆動して、自己容量を検出する（Ｓｔｅｐ２）。
【００４０】
制御部２００は、ゴーストがある場合のマルチタッチを検出したかどうかを判断する（Ｓｔｅｐ３）。すなわち、制御部２００は、タッチ点に対応するノードがＸ電極、Ｙ電極それぞれ２以上の場合は、ゴーストがある場合のマルチタッチと判断する。ゴーストがある場合のマルチタッチと判断した場合はＳｔｅｐ５へ進み（Ｓｔｅｐ３：Ｙｅｓ）、ゴーストがある場合のマルチタッチでないと判断した場合は、Ｓｔｅｐ４へ進む(Ｓｔｅｐ３：Ｎｏ）。
【００４１】
制御部２００は、シングルタッチまたはゴーストレスのマルチタッチとしてタッチ位置を決定する（Ｓｔｅｐ４）。タッチ位置の決定後、Ｓｔｅｐ１へ戻って、繰り返してタッチ検出動作を実行する。
【００４２】
制御部２００は、マルチタッチ電極のノードに対応するＸ電極、Ｙ電極の組合せを同時駆動して、自己容量を検出する（Ｓｔｅｐ５）。
【００４３】
制御部２００は、マルチタッチ位置の決定を行なう（Ｓｔｅｐ６）。例えば、真のタッチ位置（ノード１＝（Ｘｉ、Ｙｊ）、ノード４＝（Ｘｉ＋１、Ｙｊ＋１）において、容量値（基準値からの差）は大きく、ゴースト位置の容量値（基準値からの差）は小さく検出される。これにより、制御部２００は、マルチタッチ位置（マルチタッチの真のタッチ位置）を決定することができる。マルチタッチ位置の決定後、Ｓｔｅｐ１へ戻って、繰り返してタッチ検出動作を実行する。
【００４４】
（本発明の実施の形態の効果）
本実施の形態においては、以下のような効果を有する。
（１）本実施の形態に係る自己容量式タッチセンサ１は、複数電極が配置された第１電極であるＸ電極１０２（Ｘ１、Ｘ２、・・・、Ｘｍ）と、Ｘ電極１０２と交差する方向に複数電極が配置された第２電極であるＹ電極１０４（Ｙ１、Ｙ２、・・・、Ｙｎ）と、Ｘ電極１０２及びＹ電極１０４の駆動により自己容量を検出する静電容量検出部（Ｘ静電容量検出部１５２、Ｙ静電容量検出部１７２）と、Ｘ電極１０２とＸ静電容量検出部１５２との接続状態を任意に切り替える第１切替部であるＸスイッチング部１５４と、Ｙ電極１０４とＹ静電容量検出部１７２との接続状態を任意に切り替える第２切替部であるＹスイッチング部１７４と、静電容量検出部（Ｘ静電容量検出部１５２、Ｙ静電容量検出部１７２）、Ｘスイッチング部１５４、及びＹスイッチング部１７４を制御し、静電容量検出部（Ｘ静電容量検出部１５２、Ｙ静電容量検出部１７２）により検出された自己容量によりタッチ位置を検出する制御部２００と、を有して構成されている。よって、任意のＸ電極１０２と任意のＹ電極１０４を同時駆動して自己容量を検出することが可能となる。これにより、マルチタッチ時における真のタッチ位置とゴースト位置とを判別することが可能となる。
（２）本実施の形態に係る自己容量式タッチセンサ１は、容量検出手段として、自己容量式の検出手段のみを有する。したがって、従来技術のような相互容量式の検出手段を備える必要がないので、簡易な構成で、マルチタッチに対応が可能である。
（３）マルチタッチの検出は、自己容量の検出により行なうので、自己容量センサの長所である高感度、高速等を保持した検出が可能である。
【００４５】
以上、本発明の実施の形態を説明したが、この実施の形態は、一例に過ぎず、特許請求の範囲に係る発明を限定するものではない。また、この新規な実施の形態は、その他の様々な形態で実施されることが可能であり、本発明の要旨を逸脱しない範囲で、種々の省略、置き換え、変更等を行うことができる。また、この実施の形態の中で説明した特徴の組合せの全てが発明の課題を解決するための手段に必須であるとは限らない。さらに、この実施の形態は、発明の範囲及び要旨に含まれるとともに、特許請求の範囲に記載された発明とその均等の範囲に含まれる。
【符号の説明】
【００４６】
１…自己容量式タッチセンサ
１００…タッチ電極部
１０２…Ｘ電極
１０４…Ｙ電極
１５０…Ｘ駆動検出部
１５２…Ｘ静電容量検出部
１５４…Ｘスイッチング部
１７０…Ｙ駆動検出部
１７２…Ｙ電容量検出部
１７４…Ｙスイッチング部
２００…制御部
３００…手指
ＧＮＤ…グランド
ＳＣＸｉ、ＳＣＹｉ…静電容量信号
ＳＤＸｉ、ＳＤＹｉ…静電容量カウント値
ＳＷＸｉ…Ｘスイッチング信号
ＳＷＹｉ…Ｙスイッチング信号
ＳＸｉ…Ｘ駆動検出信号
ＳＹｉ…Ｙ駆動検出信号
【図１】
2018045440.tif 000003
【図２】
2018045440.tif 000004
【図３】
2018045440.tif 000005
【図４】
2018045440.tif 000006
【図５】
2018045440.tif 000007
【図６】
2018045440.tif 000008